(57)【要約】【課題】保護部材が装着されたままで記録ヘッドカートリッジが記録装置に搭載されても、破壊など不具合が発生しない保護部材を提供する。【解決手段】記録ヘッドカートリッジ１に着脱可能な保護部材５０であり、カートリッジ１に装着されたまま該カートリッジ１がキャリッジユニット２０に搭載されると、該ユニット２０に当接する支持部７０、７１、７２を有する。【選択図】図７
2008049522.tif 000002
【特許請求の範囲】
【請求項１】
記録装置のキャリッジユニットに搭載される記録ヘッドカートリッジに着脱可能な保護部材であって、複数の支持部を有し、それら支持部は、当該保護部材が装着された状態で前記記録ヘッドカートリッジを前記キャリッジユニットに搭載すると、該キャリッジユニットに当接することを特徴とする保護部材。
【請求項２】
前記記録ヘッドカートリッジに係合および係合解除が可能な複数の係合部を有し、これら係合部の少なくとも一つは、前記支持部としても機能することを特徴とする請求項１記載の保護部材。
【請求項３】
前記記録ヘッドカートリッジから取り外す際に手指を引っ掛けるための指がかり部が突設され、この指がかり部は、前記支持部としても機能することを特徴とする請求項１または請求項２記載の保護部材。
【請求項４】
２つの前記支持部を結ぶ直線と、他の２つの前記支持部を結ぶ直線とが交差するように、これら複数の支持部が配置されていることを特徴とする請求項１ないし請求項３のいずれかに記載の保護部材。
【発明の詳細な説明】
【技術分野】
【０００１】
本発明は、インク等の液体を吐出して記録を行う記録装置に搭載される記録ヘッドカートリッジに関するものであり、特に、記録ヘッドカートリッジを保護するための保護部材に関する。
【０００２】
尚、本発明の保護部材が対象とする記録ヘッドカートリッジは、一般的なプリント装置の他に複写機、通信システムを有するファクシミリ、プリント部を有するワードプロセッサ等の記録装置に適用することができる。さらには、各種処理装置と複合的に組み合わされた産業用の記録装置に適用することもできる。
【背景技術】
【０００３】
図１１（ａ）に、上記記録装置の一つであるインクジェット記録装置（以下「記録装置」と略す場合もある。）に搭載される一般的な記録ヘッドカートリッジを図示する。この記録ヘッドカートリッジ１００は、記録ヘッド１０１、電気接続基板１０２、ＴＡＢ（Tape Automated Bonding）テープ１０３、およびカートリッジ本体１０４を有する。
【０００４】
図示は省略するが、記録ヘッド１０１は、インク吐出エネルギーを発生させる複数のエネルギー発生素子と、インク供給口とが形成された素子基板にオリフィスプレートが積層された基本構造を有する。オリフィスプレートには、各エネルギー発生素子と対応する位置に形成された複数の吐出口と、インク供給口から供給されたインクを各吐出口の近傍に導く流路とが形成されている。
【０００５】
電気接続基板１０２は、記録装置側に設けられているコネクタ（不図示）に挿入・抜去可能であり、記録装置から出力される電気信号を記録ヘッド１０１に伝達する。より具体的には、電気接続基板１０２に入力された電気信号は、ＴＡＢテープ１０３を介して記録ヘッド１０１の素子基板に入力される。
【０００６】
上記のような構造を有する記録ヘッドカートリッジは、独立した商品として単体で流通過程に置かれる。その際、吐出口形成面（オリフィスプレートの主面）や電気接続基板が損傷または汚損しないように、それらを保護部材で保護することが一般的である。
【０００７】
さらに、物流時における吐出口の化学的安定性を保つために、インクもしくはインク代替物が吐出口に充填されることがある。このような場合には、物流時の時間経過や温度変化により、充填した液体が蒸発飛散して消失しないように、周囲を密閉することが望ましい。
【０００８】
以上のような理由から、記録ヘッドカートリッジは、保護部材が装着され、さらに、袋によって密封包装された状態で流通過程に置かれる。
【０００９】
図１１（ｂ）は、同図（ａ）に示す記録ヘッドカートリッジ１００に装着される保護部材の一例を示す。図示されている保護部材２００は、特許文献１に開示されている保護部材である。この保護部材２００は、記録ヘッドカートリッジ１００の吐出口形成面を保護する吐出口保護部２０１と、電気接続基板１０２を保護する基板保護部２０２とを有する。
【００１０】
さらに、保護部材２００には、記録ヘッドカートリッジ１００と係合するために、第１の係合部２０３および第２の係合部２０４が一体成形されている。第１の係合部２０３は、基板保護部２０２の両端に形成され、第２の係合部２０４は、吐出口保護部２０１の周囲に形成されている。さらに、基板保護部２０２の背面には、指がかり部２０５が突設されている。
【００１１】
指がかり部２０５は、ユーザーが記録ヘッドカートリッジ１００から保護部材２００を取り外すときに使用される。具体的には、指がかり部２０５に指を引っ掛け、記録ヘッドカートリッジ１００から指がかり部２０５を引き離すように力を加える。すると、まず第１の係合部２０３が記録ヘッドカートリッジ１００から外れる。次いで、第２の係合部２０４を支点として、保護部材２００全体が回動し、記録ヘッドカートリッジ１００との係合が開放され、保護部材２００が記録ヘッドカートリッジ１００から外れる。
【特許文献１】特開２００４−２３０７０３号公報
【発明の開示】
【発明が解決しようとする課題】
【００１２】
近年、ユーザーが、保護部材が装着された状態のまま記録ヘッドカートリッジを記録装置に搭載してしまい、記録装置のキャリッジユニットや回復ユニット、さらには接続端子を破壊してしまう場合が有った。
【００１３】
そこで従来は、保護部材を装着したままでは、記録ヘッドカートリッジを記録装置に搭載することができない構造が採用されていた。しかし、記録ヘッドカートリッジが想定以上の力でキャリッジユニットに搭載されると（無理矢理に押し込まれると）、記録装置や記録ヘッドカートリッジの破壊を招く虞がある。
【００１４】
本発明の目的は、保護部材が装着されたままの状態で記録ヘッドカートリッジを記録装置に搭載しようとしても、記録装置や記録ヘッドカートリッジの破壊その他の不具合の発生を回避可能な保護部材を提供することである。
【課題を解決するための手段】
【００１５】
本発明の保護部材は、当該保護部材が装着された状態の記録ヘッドカートリッジを記録装置のキャリッジユニットに搭載しようとしたとき、該キャリッジユニットに当接する複数の支持部を有する。
【発明の効果】
【００１６】
本発明によれば、保護部材が装着されたままの状態で記録ヘッドカートリッジを記録装置に搭載しようとしても、記録装置や記録ヘッドカートリッジの破壊その他の不具合が発生することがない。
【発明を実施するための最良の形態】
【００１７】
（実施形態１）
以下、本発明の保護部材の実施形態の一例について図面を参照しながら詳細に説明する。なお、説明の便宜上、本例の保護部材が装着される記録ヘッドカートリッジについて先に説明し、その後、本例の保護部材について説明する。
【００１８】
図１は、本例の保護部材５０（図７等）が装着される記録ヘッドカートリッジ１の下方斜視図であり、図２は同側面図である。この記録ヘッドカートリッジ１は、記録ヘッド２、電気接続基板３、ＴＡＢテープ４をカートリッジ本体５に固定して一体化したものである。
【００１９】
記録ヘッド２は、インク滴を吐出させるためのエネルギーを発生する複数のエネルギー発生素子、およびインク供給口が形成された素子基板（不図示）に、オリフィスプレート６が積層された基本構造を有する。
【００２０】
オリフィスプレート６には、各エネルギー発生素子と対応する位置に形成された複数の吐出口７が形成されている。また、インク供給口から供給されたインクを各吐出口７の近傍に設けられた発泡室（「作用室」と呼ばれることもある。）に導く流路（不図示）も形成されている。
【００２１】
電気接続基板３は、記録装置側に設けられているコネクタ２５（図４）に挿入・抜去可能であり、記録装置から出力される制御信号を記録ヘッド２に伝達する。より具体的には、電気接続基板３の端部には導電体からなる電気接続端子（不図示）が形成されており、該基板３を記録装置のキャリッジユニット２０に設けられているコネクタ２５（図３、図４）に差し込むことで電気的に導通する。すなわち、いわゆるカードエッジコンタクト方式によって電気的接続を実現する。このため、電気接続基板３をコネクタ２５に差し込み可能とすべく、該基板３とカートリッジ本体５との間には所定の隙間８が設けられている。
【００２２】
電気接続基板３と記録ヘッド２とは、ＴＡＢテープ４によって電気的に接続されており、電気接続基板３に入力された電気信号は、ＴＡＢテープ４を介して記録ヘッド２に入力される。
【００２３】
上記のように、電気接続基板３と記録ヘッド２とは、ＴＡＢテープ４を介して接続されているので、両者の位置関係は比較的自由に設定することができる。本例では、カートリッジ本体５の一側面であって、同側面上の略上端に電気接続基板３が配置されている。
【００２４】
また、図２に示すように、ＴＡＢテープ４の側面とカートリッジ本体５の側面には、折り返し部９およびインクトラップ部１０が設けられている。これらは、ＴＡＢテープ４とカートリッジ本体５との間で発生する毛管力によって引き上げられたインクが記録ヘッド２やその近傍に付着するのを防止する役割を果たす。
【００２５】
再び図１を参照する。カートリッジ本体５は樹脂製であって、記録ヘッド２に供給されるインクを保有した交換可能なインクタンクを着脱可能となっている。また、カートリッジ本体５の底には、セラミック製のチッププレート１１がビス１２によって固定されており、このチッププレート１１に記録ヘッド２が接着固定されている。記録ヘッド２（オリフィスプレート６）には、異なる大きさのインク滴を吐出するために、数種類の吐出口７が開口されている。本例では、大きさの異なる３種類の吐出口７が形成されている（詳しくは後述する。）。また、吐出口７が開口しているオリフィスプレート６の主面は、ＴＡＢテープ４に形成された開口部から露出している。
【００２６】
さらに、カートリッジ本体５の内部には、装着されたインクタンクからインクを導出し、記録ヘッド２へ導くインク供給路（不図示）が形成されている。
【００２７】
次に、記録ヘッドカートリッジ１の記録装置への搭載方法について説明する。図３、図４に示すように、記録ヘッドカートリッジ１は、記録装置が備えるキャリッジユニット２０に搭載され、位置決めされる。具体的には、記録装置には、ガイドシャフト２１を回転軸中心とする装着用レバー２２を備えたキャリッジユニット２０が設けられており、装着用レバー２２にはバネ部２３が設けられている。記録ヘッドカートリッジ１を搭載する際には、記録ヘッドカートリッジ１をキャリッジユニット２０上に搭載した後、図４に示す状態の装着用レバー２２を図３に示す状態まで回動させる。すると、バネ部２３が記録ヘッドカートリッジ１の傾斜部２４（図４）に当接することによって発生する反力でもって、記録ヘッドカートリッジ１がキャリッジユニット２０内で固定される。
【００２８】
ここで、記録ヘッドカートリッジ１が搭載されたキャリッジユニット２０の底面を図５（ａ）に示し、その部分拡大図を同図（ｂ）に示す。これらの図に示すように、記録ヘッドカートリッジ１が備えるチッププレート１１の最外領域１１ａがキャリッジユニット２０に当接することによって、記録ヘッドカートリッジ１（記録ヘッド２）のＹ方向の位置決めが行われる。
【００２９】
また、Ｙ方向と直交するＸ方向については、キャリッジユニット２０のバネ部２３（不図示）が記録ヘッドカートリッジ１の側面に設けられたＸ方向突き当て面２６をキャリッジユニット２０に圧接することによって位置決めが行われる。ＸおよびＹ方向と直交するＺ方向については、記録ヘッドカートリッジ１に設けられている３つのＺ方向突き当て面２７ａ、２７ｂ、２７ｃの計３点によって位置決めが行われる。
【００３０】
Ｙ方向の位置決めを行うチッププレート１１の最外領域１１ａは、記録ヘッド２をチッププレート１１にマウントする際の基準と共通である。従って、記録ヘッド２は、チッププレート１１へのマウント時の精度と同等の精度でキャリッジユニット２０（記録装置）に固定される。
【００３１】
また、記録ヘッド２とチッププレート１１とは、チッププレート１１の最外領域１１ａと対向する面にて当接すると共に、最外領域１１ａの投影面上にはカートリッジ本体５が配置されていない。これにより、チッププレート１１をカートリッジ本体５に固定する際にも最外領域１１ａを位置決めとして使用することが可能である。
【００３２】
ここで、位置決め時の影響を最も受けやすい最小のインク滴が吐出する吐出口７を、Ｙ方向の位置決めを行なう２箇所の中心、すなわち、チッププレート１１の略中心に配置している。本例における吐出口７の具体的な配置状態は次のとおりである。
【００３３】
本例における記録ヘッドカートリッジ１は、双方向印刷を行なうものである。そこで、記録ヘッド２の主面（オリフィスプレート６の主面）には、吐出するインク滴の色および大きさ（ドット）が異なる数種類の吐出口７が配置されている。
【００３４】
具体的には図６（ａ）に示すように、紙面左側から順に、大ドットのシアンインク滴が吐出する複数の吐出口７ａ、中ドットのシアンインク滴が吐出する複数の吐出口７ｂが一列に配置され、それぞれ吐出口列を形成している。
【００３５】
続いて、大ドットのマゼンタインク滴が吐出する吐出口７ｃ、中ドットのマゼンタインク滴が吐出する吐出口７ｄ、大ドットのイエローインク滴が吐出する吐出口７ｅが一列に配置され、それぞれ吐出口列を形成している。
【００３６】
さらに続いて、大ドットのイエローインク滴が吐出する吐出口７ｆ、中ドットのフォトブラックインクが吐出する吐出口７ｇが一列に配置され、それぞれ吐出口列を形成している。
【００３７】
続いて、大ドットのフォトブラックインク滴が吐出する吐出口７ｈ、小ドットのマゼンタインク滴が吐出する吐出口７ｉが一列に配置され、それぞれ吐出口列を形成している。
【００３８】
続いて、大ドットのマゼンタインク滴が吐出する吐出口７ｊ、小ドットのシアンインク滴が吐出する吐出口７ｋ、大ドットのシアンインク滴が吐出する吐出口７ｌが一列に配置され、それぞれ吐出口列を形成している。
【００３９】
図６（ｂ）に、吐出口７の配置状態を拡大してさらに詳しく図示する。大ドットのインク滴が吐出する吐出口７ａ、７ｃ、７ｅ、７ｆ、７ｈ、７ｊ、７ｌの列では、各吐出口が６００ｄｐｉピッチで配置されている。また、フォトブラックインク滴が吐出する吐出口４５ｈの列は一列のみ設けられている。一方、シアンインク滴が吐出する吐出口７ａと７ｌの列は、それぞれ一列ずつ設けられている。
【００４０】
また、マゼンタインク滴が吐出する吐出口７ｃと７ｊ、イエローインク滴が吐出する吐出口７ｅと７ｆは、それぞれ２列ずつ設けられている。さらに、各吐出口列は、１２００ｄｐｉピッチずらして配置されている。
【００４１】
中ドットのインク滴を吐出する吐出口７ｂ、７ｄ、７ｇからなる吐出口列では、各吐出口が６００ｄｐｉピッチで配置されている。かかる吐出口列は、シアン、マゼンタ、フォトブラックの計３列設けられている。
【００４２】
小ドットのインク滴が吐出する吐出口７ｉ、７ｋからなる吐出口列では、各吐出口が６００ｄｐｉピッチで配置されている。かかる吐出口列は、シアン、マゼンタの計２列設けられている。
【００４３】
また、中ドット用の吐出口と小ドット用の吐出口とは、１２００ｄｐｉピッチで配置されており、その中心線上、すなわち、２４００ｄｐｉの位置に大ドット用の吐出口が配置されている。
【００４４】
次に、本例の保護部材５０について説明する。図７は、本例の保護部材５０を示す図であって、（ａ）は下方斜視図、（ｂ）は上方斜視図である。また、図８は、保護部材５０が記録ヘッドカートリッジ１に装着された状態を示す下方斜視図である。
【００４５】
保護部材５０には、記録ヘッドカートリッジ１の吐出口７が形成されている面（図６）を保護する吐出口保護部５１と、電気接続基板３（図１）を保護する基板保護部５２とが一体的に形成されている。さらに、記録カートリッジ１の強度的に弱い部分、本例では側壁根元３０（図１）を保護するための側壁保護部５３も一体的に形成されている。
【００４６】
吐出口保護部５１は、装着時に記録ヘッドカートリッジ１の吐出口７が形成されている面を覆うように形成されており、該面と対向する内面には、格子状のリブ５４が設けられている。これにより、吐出口７から不測にインクが流出しても、格子状のリブ５４のメニスカス力によってインクを保持することができる。
【００４７】
基板保護部５２は、吐出口保護部５１から一体に延びて形成され、装着時に電気接続基板３を覆うように形成されている。
【００４８】
従って、図８に示すように、記録ヘッドカートリッジ１に装着された保護部材５０は、記録ヘッドカートリッジ１の一側面と下面とを覆う。ここで、一側面とは、電気接続基板３が設けられている面、下面とは、吐出口７が設けられている面をそれぞれ意味することは、これまでの説明から容易に理解できる。
【００４９】
また、上述したように、電気接続基板３とカートリッジ本体５との間には、隙間８（図１）が設けられている。そこで、基板保護部５２と吐出口保護部５１と繋いでいる一対の脚部５５には、屈曲部５５ａが設けられ、保護部材５０が概ね記録ヘッドカートリッジ１の一側面に沿って配置されるようになっている。
【００５０】
側壁保護部５３は、吐出口保護部５１の端部から伸びる一対のアーム５６の先に設けられており、片持ち梁構造になっている。また、装着時、側壁保護部５３と、記録ヘッドカートリッジ１の側壁根元３０との間には隙間が形成されるようになっている。従って、落下等の衝撃により側壁保護部５３のアーム５６が撓んでも、記録ヘッドカートリッジ１の側壁根元３０（図１）に伝わることが防止される。
【００５１】
また、保護部材５０には、記録ヘッドカートリッジ１に係合させるための係合部として、第１の係合部６０および第２の係合部６１が一体に設けられている。第１の係合部６０は、基板保護部５２の上部、つまり指がかり部６２が設けられている側とは反対側の両端に形成され、カートリッジ本体５の略上面と係合する。第２の係合部６１は、側壁保護部５３を構成する２本のアーム５６の間に間隔を置いて、片持ちで設けられている。
【００５２】
これにより、落下等により衝撃を受けて側壁保護部５３のアーム５６が撓んでも、第２の係止部６１にかかる衝撃が緩和される。よって、衝撃で保護部材５０の係合部６０、６１が外れることが防止され、より確実に記録ヘッドカートリッジ１を衝撃から守り、破損を防止することができる。
【００５３】
本例では、指がかり部６２の底面（使用時に指がかけられる面とは反対側の面）が第１の支持部７０としてき機能し、第２の係合部６１の片持ちの部分が第２の支持部として機能する。また、側壁保護部５３の底面が第３の支持部７２として機能する。以下の説明では、第１の支持部７０を「第１の回転支持部７０」、第２の支持部７１を「第２の回転支持部７１」、第３の支持部７２を「水平支持部７２」と呼んで区別する。そして、第１の回転支持部７０と第２の回転支持部７１とを結ぶ直線と、２つの水平支持部７２とを結ぶ直線とが直交するように、これら支持部は配置されている。
【００５４】
次に、記録ヘッドカートリッジ１に保護部材５０を装着した状態で、キャリッジユニット２０に装着する場合について説明する。
【００５５】
図９（ａ）は、記録ヘッドカートリッジ１が搭載される記録装置８０の概略を示す模式図である。図９（ｂ）は、同図（ａ）に示されているキャリッジユニット２０に、保護部材５０が装着された状態の記録ヘッドカートリッジ１を搭載しようとした場合の拡大斜視図であり、図１０はその過程を示す一部断面の側面図である。
【００５６】
図９（ａ）（ｂ）に示すように、保護部材５０が装着された記録ヘッドカートリッジ１をキャリッジユニット２０に搭載しようとすると、保護部材５０の第１の回転支持部７０（図７）は、記録装置８０の給紙側を向く。また、第２の回転支持部７１（図７）は、排紙側を向く。
【００５７】
次に、そのまま装着動作を続けた際について説明する。既述の通り、図１０（ａ）〜（ｅ）は、保護部材５０を装着したまま記録ヘッドカートリッジ２を装着しようとした際の側面図である。これらの図では、便宜上、キャリッジユニット２０を切り欠いた状態で図示してある。
【００５８】
図１０（ａ）に示すように、記録装置８０のキャリッジユニット２０に保護部材５０を装着したまま記録ヘッドカートリッジ１を搭載しようとする。すると、キャリッジユニット２０の投影面外に位置する保護部材５０の側壁保護部５３の底面（水平支持部７２）が、キャリッジユニット２０の水平部２０ａに当接する（図面では、キャリッジユニット２０の水平部２０ａを破線で示す。）。また、
同じくキャリッジユニット２０の投影面外に位置する保護部材５０の指がかり部６２の傾斜した底面（第１の回転支持部７０）が、キャリッジユニット２０の給紙側の水平部と当接する。すなわち、第１の回転支持部７０と、２箇所の水平支持部７２の計３点がキャリッジユニット２０に当接するので、記録ヘッドカートリッジ１をキャリッジユニット２０に装着することはできない。また、誤装着時の記録ヘッドカートリッジ１の姿勢が規制される。
【００５９】
そのまま装着用レバー２２を下げ、装着動作を行うと、図１０（ｂ）に示すように、装着用レバー２２が保護部材５０の上部に当接する。これにより、保護部材５０の水平支持部７２がキャリッジユニット２０の水平部２０ａをガイドとして後方（図中矢印方向）に移動する。この結果、保護部材５０の第２の回転支持部７１がキャリッジユニットの凸部２０ｂに当接する。
【００６０】
さらに装着動作を続けると、図１０（ｃ）に示すように、保護部材５０が装着された記録ヘッドカートリッジ１に回転方向のモーメントＮが作用する。これは、装着用レバー２２が保護部材５０の上部に当接した際の装着力Ｆ１と、保護部材５０の第２の回転支持部７１が凸部２０ｂに当接した際に発生する反力Ｆ２が同一線状に無いためである。このため、保護部材５０が装着された記録ヘッドカートリッジ１は回転動作をはじめ、キャリッジユニット２０の水平部２０ａと保護部材５０の水平支持部７２とが離間する。続いて、第1の回転支持部７０と第２の回転支持部７１とがキャリッジユニット２０に当接するため、記録ヘッドカートリッジ１は、略円弧状の軌跡を描きながら動作する。
【００６１】
さらに装着動作を続けると、図１０（ｄ）〜（ｅ）に示すように、第1の回転支持部７０と第２の回転支持部７１とがキャリッジユニット２０と当接しながら回転動作を行う。
【００６２】
以上のように、ユーザーが保護部材を外さずに記録装置に記録ヘッドカートリッジを搭載しようとすると、支持部がキャリッジユニットに当接し、記録ヘッドカートリッジの姿勢が規制される。よって、無理な姿勢で記録ヘッドカートリッジが押し込まれる事態が回避され、記録装置や記録ヘッドカートリッジの破壊が防止される。
【００６３】
また、保護部材を外さずに記録装置に記録ヘッドカートリッジを搭載しようとして力を加えると、支持部が当接面に押し付けられて反力が発生する。そして、記録ヘッドカートリッジを搭載しようする力と上記反力とによって所定のモーメントが発生し、カートリッジが変位し、ユーザーに誤装着を警告することができる。
【００６４】
尚、本例では、カードエッジコンタクト方式の電気接続基板３が採用されているので、保護部材５０の第１の回転支持部７０と指がかり部６２とを共有しているが、それぞれ別に設けてもよい。
【図面の簡単な説明】
【００６５】
【図１】本発明の保護部材が装着される記録ヘッドカートリッジの下方斜視図である。
【図２】図１に示す記録ヘッドカートリッジの側面図である。
【図３】記録ヘッドカートリッジが搭載されたキャリッジユニットの斜視図である。
【図４】記録ヘッドカートリッジが搭載されたキャリッジユニットの側面図である。
【図５】（ａ）は、記録ヘッドカートリッジが搭載されたキャリッジユニットの底面図であり、（ｂ）は、部分拡大図である。
【図６】（ａ）は、記録ヘッドの吐出口形成面を示す平面図であり、（ｂ）は、同拡大図である。
【図７】本発明の保護部材の一例を示す図であり、（ａ）は下方斜視図、（ｂ）は上方斜視図である。
【図８】図７に示す保護部材が装着された記録ヘッドカートリッジの下方斜視図である。
【図９】（ａ）は、図１に示す記録ヘッドカートリッジが搭載される記録装置の概略図、（ｂ）は、（ａ）に示すキャリッジユニット周りの拡大図である。
【図１０】保護部材が装着された記録ヘッドカートリッジがキャリッジユニットに搭載される過程を示す一部断面の側面図である。
【図１１】（ａ）は、記録ヘッドカートリッジの斜視図、（ｂ）は、従来の保護部材の斜視図である。
【符号の説明】
【００６６】
１  記録ヘッドカートリッジ
２０  キャリッジユニット
５０  保護部材
６０  第１の係合部
６１  第２の係合部
６２  指がかり部
７０  第１の回転支持部
７１  第２の回転支持部
７２  水平支持部
８０  記録装置
【図１】
2008049522.tif 000003
【図２】
2008049522.tif 000004
【図３】
2008049522.tif 000005
【図４】
2008049522.tif 000006
【図５】
2008049522.tif 000007
【図６】
2008049522.tif 000008
【図７】
2008049522.tif 000009
【図８】
2008049522.tif 000010
【図９】
2008049522.tif 000011
【図１０】
2008049522.tif 000012
【図１１】
2008049522.tif 000013